(57)【要約】【課題】サーバ装置が端末装置へアクセスする際、端末装置が通信ネットワークに接続されているか否かに関わらず、動的にＩＰアドレスを割り当て、通信ネットワーク上でＩＰアドレスと端末固有番号とを対応付けて認識することができる通信システム及び通信方法を提供する。【解決手段】ＤＮＳゲートウェイ１７は、ＭＳＮとＩＰアドレスの対応関係を保持する変換テーブルからＭＳＮを検索する変換テーブル制御部２４と、ＭＳＮに対応付けられたＩＰアドレスが変換テーブルに存在しない場合、ＭＳＮを有するＭＳへ接続要求を行う通信網インターフェイス２１とを備え、変換テーブル制御部２４は、当該接続の際に、ＭＳへ割り当てられたＩＰアドレスをＭＳＮと対応付けて変換テーブルへ登録する。【選択図】図２
2005167728.tif 000002
【特許請求の範囲】
【請求項１】
通信ネットワークを介して、端末装置との間で通信リンクを確立する通信システムであって、
端末装置のドメイン名と前記端末装置の端末固有番号とＩＰアドレスとの対応関係を保持する対応関係保持部と、
前記端末装置への通信要求に応じて、該通信要求に含まれる端末装置のドメイン名に対応付けられたＩＰアドレスを前記対応関係保持部から検索する第１の検索手段と、
前記ドメイン名に対応付けられたＩＰアドレスが前記対応関係保持部に存在しない場合、前記ドメイン名に対応付けられた前記端末固有番号宛てに通信リンクの確立要求を行う確立要求手段と、
当該確立要求に応じて、前記端末装置へＩＰアドレスを割り当てる割り当て手段と
を備えることを特徴とする通信システム。
【請求項２】
前記通信要求は、正引き要求であり、
前記割り当て手段によって割り当てられたＩＰアドレスを、前記正引き要求に対する応答として送信する第１の応答部を更に備えることを特徴とする請求項１に記載の通信システム。
【請求項３】
前記端末装置への逆引き要求に応じて、該逆引き要求に含まれるＩＰアドレスに対応付けられた端末固有番号を前記対応関係保持部から検索する第２の検索手段と、
前記ＩＰアドレスに対応付けられた端末固有番号を、前記逆引き要求に対する応答として送信する第２の応答部と
を更に備えることを特徴とする請求項１又は２に記載の通信システム。
【請求項４】
通信ネットワークを介して、端末装置との間で通信リンクを確立する通信システムに用いる通信方法であって、
端末装置のドメイン名と前記端末装置の端末固有番号とＩＰアドレスとの対応関係を保持するステップと、
前記端末装置への通信要求に応じて、該通信要求に含まれる端末装置のドメイン名に対応付けられたＩＰアドレスを前記対応関係保持部から検索するステップと、
前記ドメイン名に対応付けられたＩＰアドレスが前記対応関係保持部に存在しない場合、前記ドメイン名に対応付けられた前記端末固有番号宛てに通信リンクの確立要求を行うステップと、
当該確立要求に応じて、前記端末装置へＩＰアドレスを割り当てるステップと
を含むことを特徴とする通信方法。
【発明の詳細な説明】
【技術分野】
【０００１】
本発明は、端末装置のドメイン名に対応して割り当てられたＩＰアドレスを用いて、通信ネットワークを介して、端末装置との間で通信リンクを確立する通信システム及び通信方法に関する。
【背景技術】
【０００２】
従来、インターネットと公衆電話網を接続するために、通信装置（ゲートウェイ）と端末装置との間で、ＩＰ通信可能な通信リンクを確立する方法が知られている（例えば、特許文献１）。このような端末装置は、例えば、事前に準備された電話番号に電話をかけることにより、通信装置との間でＩＰ通信可能な通信リンクを確立し、当該通信リンク及びインターネットを介して目的のホームページなどに接続することができる。又、着信側端末装置と通信装置との間で事前にＩＰ通信可能な通信リンクが確立されており、かつ、端末装置にＩＰアドレスが割り当てられている場合、発信側端末装置は着側端末装置に対してＩＰ通信上で電話をかけることができる（いわゆるＩＰ電話である）。
【特許文献１】特開２００３−１０１５６５号公報（「００３４」〜「００３６」段落、図１）
【発明の開示】
【発明が解決しようとする課題】
【０００３】
しかしながら、従来のシステムでは、電話番号を有する端末装置に対してＩＰ通信可能な通信リンクを確立する際には、事前に端末装置に固定のＩＰアドレスを割り当てておく必要があった。又、端末装置の電話番号と事前に割り当てたＩＰアドレスとを対応付けて管理しておく必要があった。
【０００４】
一方、事前に端末装置に固定のＩＰアドレスを割り当てず、端末装置が通信ネットワークへアクセスした際に、動的にＩＰアドレスを割り当てることも可能である。しかし、このように動的にＩＰアドレスを割り当てる場合は、通信ネットワーク上の通信装置が端末装置へアクセスする際、端末装置との間にＩＰ通信可能な通信リンクが確立されていないときは、通信装置は端末装置を特定することができず、動的にＩＰアドレスを割り当てることが困難であった。
【０００５】
そこで、本発明は、上記の課題に鑑み、端末装置へアクセスする際、端末装置との間にＩＰ通信可能な通信リンクが確立されているか否かに関わらず、動的にＩＰアドレスを割り当てることができる通信システム及び通信方法を提供することを目的とする。
【課題を解決するための手段】
【０００６】
上記目的を達成するため、本発明の第１の特徴は、通信ネットワークを介して、端末装置との間で通信リンクを確立する通信システムであって、（イ）端末装置のドメイン名と端末装置の端末固有番号とＩＰアドレスとの対応関係を保持する対応関係保持部と、（ロ）端末装置への通信要求に応じて、通信要求に含まれる端末装置のドメイン名に対応付けられたＩＰアドレスを対応関係保持部から検索する第１の検索手段と、（ハ）ドメイン名に対応付けられたＩＰアドレスが対応関係保持部に存在しない場合、ドメイン名に対応付けられた端末固有番号宛てに通信リンクの確立要求を行う確立要求手段と、（ニ）当該確立要求に応じて、端末装置へＩＰアドレスを割り当てる割り当て手段とを備える通信システムであることを特徴とする。
【０００７】
ここで、「通信ネットワーク」とは、インターネット、移動電話網、公衆電話網などの通信網を含む。又、「通信装置」とは、具体的には、電話網とＬＡＮとを接続するゲートウェイなどが挙げられる。
【０００８】
第１の特徴に係る通信システムによると、ドメイン名からＩＰアドレスを求める際、ドメイン名に対応する端末装置との間にＩＰ通信可能な通信リンクが確立されていない場合でも、ＩＰアドレスを動的に割り当てることができる。このため、通信ネットワーク上の通信装置は、端末装置が通信ネットワークに接続されているか否かに関わらず、ドメイン名で端末装置にアクセスし、ＩＰレベルでの通信を行うことができる。
【０００９】
又、第１の特徴に係る通信システムにおける通信要求は、正引き要求であり、割り当て手段によって割り当てられたＩＰアドレスを、正引き要求に対する応答として送信する第１の応答部を更に備えてもよい。この通信システムによると、正引き要求に含まれるドメイン名から端末装置に割り当てられたＩＰアドレスを取得することができる。
【００１０】
又、第１の特徴に係る通信システムは、端末装置への逆引き要求に応じて、逆引き要求に含まれるＩＰアドレスに対応付けられた端末固有番号を対応関係保持部から検索する第２の検索手段と、ＩＰアドレスに対応付けられた端末固有番号を、逆引き要求に対する応答として送信する第２の応答部とを更に備えてもよい。この通信システムによると、逆引き要求に含まれるＩＰアドレスから端末固有番号を取得することができる。このため、インターネット上の通信装置は、当該ＩＰアドレスを割り当てられている端末固有番号（例えば、端末装置の電話番号、端末装置の機体番号）を特定することができる。
【００１１】
本発明の第２の特徴は、通信ネットワークを介して、端末装置との間で通信リンクを確立する通信システムに用いる通信方法であって、（イ）端末装置のドメイン名と端末装置の端末固有番号とＩＰアドレスとの対応関係を保持するステップと、（ロ）端末装置への通信要求に応じて、通信要求に含まれる端末装置のドメイン名に対応付けられたＩＰアドレスを対応関係保持部から検索するステップと、（ハ）ドメイン名に対応付けられたＩＰアドレスが対応関係保持部に存在しない場合、ドメイン名に対応付けられた端末固有番号宛てに通信リンクの確立要求を行うステップと、（ニ）当該確立要求に応じて、端末装置へＩＰアドレスを割り当てるステップとを含む通信方法であることを要旨とする。
【００１２】
第２の特徴に係る通信装置によると、ドメイン名からＩＰアドレスを求める際、ドメイン名に対応する端末装置との間にＩＰ通信可能な通信リンクが確立されていない場合でも、ＩＰアドレスを動的に割り当てることができる。このため、通信ネットワーク上の通信装置は、端末装置が通信ネットワークに接続されているか否かに関わらず、ドメイン名で端末装置にアクセスし、ＩＰレベルでの通信を行うことができる。
【発明の効果】
【００１３】
本発明によると、端末装置へアクセスする際、端末装置との間にＩＰ通信可能な通信リンクが確立されているか否かに関わらず、動的にＩＰアドレスを割り当てることができる通信システム及び通信方法を提供することができる。 
【発明を実施するための最良の形態】
【００１４】
次に、図面を参照して、本発明の実施の形態を説明する。以下の図面の記載において、同一又は類似の部分には、同一又は類似の符号を付している。ただし、図面は模式的なものであることに留意すべきである。
【００１５】
（通信システム）
本実施形態に係る通信システムは、図１に示すように、データ端末装置（以下、「ＤＴＥ」という。）５ａ、５ｂ、移動機（以下、「ＭＳ」という。）６ａ、６ｂ、移動通信網１１ａ、１１ｂ、基地局（以下、「ＢＴＳ」という。）１２ａ、１２ｂ、１２ｃ、１２ｄ、移動パケット通信ゲートウェイ１３ａ、１３ｂ、ＬＡＮ１５、ＬＡＮ側ルータ１６、ＤＮＳゲートウェイ１７、専用線１８、ホスト１９とを備える。
【００１６】
移動通信網１１ａ、１１ｂは、例えば、ＣＤＭＡ方式、あるいは、ＴＤＭＡ方式により、ＭＳ６ａ、６ｂ及びＢＴＳ１２ａ、１２ｂ、１２ｃ、１２ｄ間の無線接続を行う移動通信網である。図１では、ＭＳ６ａは、移動通信網１１ａのＢＴＳ１２ａを介して通信を行い、ＭＳ６ｂは、移動通信網１１ｂのＢＴＳ１２ｃを介して通信を行う。ＤＴＥ５ａ、５ｂは、各々に接続されたＭＳ６ａ、６ｂを介して、他のＤＴＥとの間のデータ通信を行う。
【００１７】
移動パケット通信用ゲートウェイ１３ａは、移動通信網１１ａと他の網との接続を行い、移動パケット通信用ゲートウェイ１３ｂは、移動通信網１１ｂと他の網との接続を行う。又、移動パケット通信用ゲートウェイ１３ａ、１３ｂは、ＭＳ６ａ、６ｂが移動通信網１１ａ、１１ｂへＩＰ通信可能な通信リンクの確立要求を行った際、ＭＳ６ａ、６ｂに対して割り当てることのできるプールＩＰアドレスから１つのＩＰアドレスをＭＳ６ａ、６ｂに割り当てる。又、移動パケット通信用ゲートウェイ１３ａ、１３ｂは、ＤＮＳゲートウェイ１７からのＭＳ通信確立要求に応じて、ＭＳ６ａ、６ｂに接続し、プールＩＰアドレスから１つのＩＰアドレスをＭＳ６ａ、６ｂに割り当てる。又、移動パケット通信用ゲートウェイ１３ａ、１３ｂは、当該確立要求に応じて、端末装置へＩＰアドレスを割り当てる割り当て手段を構成する。
【００１８】
ＬＡＮ１５は、本実施形態に係るモバイルパケットＬＡＮ接続サービスを受けるユーザのＬＡＮである。モバイルパケットＬＡＮ接続サービスを受けるＬＡＮはこれ以外にも存在するが、図１では１個のＬＡＮ１５のみが図示されている。
【００１９】
本実施形態では、各ＬＡＮにモバイルパケットＬＡＮ接続サービスを受けるための１または複数のＬＡＮ側接続装置が備えられている。図１には、その例としてＬＡＮ１５に設けられたＬＡＮ側ルータ１６が図示されている。
【００２０】
ＤＮＳ機能付パケット交換ゲートウェイ１７（以下、「ＤＮＳゲートウェイ」という。）は、ＤＴＥ５ａ、５ｂ及びＬＡＮ１５間のＩＰパケットのルーティングを行う。又、ＤＮＳゲートウェイ１７は、ＭＳ６ａ６ｂの電話番号とＭＳ６ａ６ｂに割り当てられるＩＰアドレスの変換を行うＤＮＳサーバとして機能する。
【００２１】
本実施形態では、ＤＮＳゲートウェイ１７及びＬＡＮ側接続装置間の通信回線として、専用線１８、移動通信網１１ａ、１１ｂを利用する。又、この通信回線として、ＩＳＤＮを利用することも可能である。図１に示す例では、ＤＮＳゲートウェイ１７は、専用線１８を介してＬＡＮ１５上のＬＡＮ側ルータ１６と接続を行うことができる。
【００２２】
ＤＮＳゲートウェイ１７は、図２に示すように、通信網インターフェイス２１、ＬＡＮインターフェイス２２、変換テーブル保持部２３、変換テーブル制御部２４、ＤＮＳサーバ機能制御部２５とを備える。
【００２３】
通信インターフェイス２１は、移動パケット通信ゲートウェイ１３ａ、１３ｂとの通信を制御し、通信網のインターフェイスとして機能する。又、通信インターフェイス２１は、ドメイン名に対応付けられたＩＰアドレスが、後述する変換テーブルに存在しない場合、ドメイン名に対応付けられた端末固有番号宛てに通信リンクの確立要求を行う確立要求手段を構成する。
【００２４】
ＬＡＮインターフェイス２２は、ＬＡＮ側ルータ１６との通信を制御し、ＬＡＮ１５とのインターフェイスとして機能する。又、ＬＡＮインターフェイス２２は、移動パケット通信用ゲートウェイ１３ａ、１３ｂによって割り当てられたＩＰアドレスを、正引き要求に対する応答として送信する第１の応答部、及び、ＩＰアドレスに対応付けられた端末固有番号を、逆引き要求に対する応答として送信する第２の応答部を構成する。
【００２５】
変換テーブル保持部２３は、ＭＳ６ａ、６ｂの電話番号（以下、「ＭＳＮ」という。）とＩＰアドレスの対応関係を示す変換テーブルを保持する。図３は、この変換テーブルのデータフォーマットである。変換テーブル保持部２３は、この他、端末装置のドメイン名をＭＳＮと対応付けて保持していてもよい。尚、ドメイン名とＭＳＮとお互いに一意に決定されるものである。又、変換テーブル保持部２３は、端末装置のドメイン名と端末装置の端末固有番号とＩＰアドレスとの対応関係を保持する対応関係保持部を構成する。
【００２６】
変換テーブル制御部２４は、ＭＳ６ａ、６ｂが移動通信網１１ａ、１１ｂへ通信リンクの確立要求を行った際、通信網インターフェイス２１から受け取った情報を元に、ＭＳ６ａ、６ｂのＭＳＮと、ＭＳ６ａ、６ｂへ割り当てられたＩＰアドレスとを対応付けて変換テーブルへ登録する。又、変換テーブル制御部２４は、変換テーブルを参照し、ＩＰアドレスに対応付けられたＭＳＮ、あるいは、ＭＳＮに対応付けられたＩＰアドレスを検索する。又、変換テーブル制御部２４は、ＭＳＮに対応付けられたＩＰアドレスが存在しない場合、通信網インターフェイス２１によって通信リンクが確立されたＭＳ６ａ、６ｂへ割り当てられたＩＰアドレスを、ＭＳＮと対応付けて変換テーブルへ登録する。又、変換テーブル制御部２４は、端末装置への通信要求に応じて、通信要求に含まれる端末装置のドメイン名に対応付けられたＩＰアドレスを対応関係保持部から検索する第１の検索手段、及び、端末装置への逆引き要求に応じて、逆引き要求に含まれるＩＰアドレスに対応付けられた端末固有番号を対応関係保持部から検索する第２の検索手段を構成する。
【００２７】
ＤＮＳサーバ機能制御部２５は、ＬＡＮ１５上のホスト１９からのＤＮＳ正引き要求を受信して、ＭＳ６ａ、６ｂのドメイン名を、ドメイン名から一意に決定されるＭＳＮへ変換する。ここで、「ＤＮＳ正引き要求」とは、インターネット上のサーバ装置が、ＤＮＳゲートウェイ１７に対しドメイン名を送信し、ドメイン名に対応するＩＰアドレスを取得するための要求をいう。又、ＤＮＳサーバ機能制御部２５は、ＬＡＮ１５上のホスト１９からのＤＮＳ逆引き要求を受信して、ＭＳＮをＭＳ６ａ、６ｂのドメイン名へ変換する。ここで、「ＤＮＳ逆引き要求」とは、インターネット上のサーバ装置が、ＤＮＳゲートウェイ１７に対しＩＰアドレスを送信し、ＩＰアドレスに対応するホスト名を取得するための要求をいう。
【００２８】
ＤＮＳゲートウェイ１７で使用されるドメイン名は、例えば、ＭＳＮの先頭にアルファベット１文字を追加するなど、ＭＳＮと１対１の対応関係にある。ＤＮＳサーバ機能制御部２５は、このように、ドメイン名とＭＳＮを交互に変換する機能を有する。
【００２９】
（通信方法）
次に、本実施形態に係る通信システムを用いた通信方法について、図４〜７を用いて説明する。
【００３０】
まず、ＭＳ６が移動通信網と通信リンクを確立した際の変換テーブルへの登録動作について、図４を用いて説明する。
【００３１】
（イ）まず、ステップＳ１１において、ＤＴＥ５からの通信確立要求は、ＭＳ６を介して、移動パケット通信用ゲートウェイ１３に送信される。
【００３２】
（ロ）次に、ステップＳ１２において、移動パケット通信用ゲートウェイ１３は、ＭＳ６に対して割り当てることのできるプールＩＰアドレスから１つのＩＰアドレスをＭＳ６に割り当てる。
【００３３】
（ハ）次に、ステップＳ１３において、移動パケット通信用ゲートウェイ１３は、接続したＭＳ６のＭＳＮとそのＭＳに割り当てたＩＰアドレスをＤＮＳゲートウェイ１７に通知する。
【００３４】
（ニ）次に、ステップＳ１４において、ＤＮＳゲートウェイ１７は、通知されたＩＰアドレスとＭＳＮとを対応付けて変換テーブルに登録する。
【００３５】
次に、インターネット上のサーバ装置から正引き要求を受信した際の動作について、図５を用いて説明する。
【００３６】
（イ）まず、ステップＳ２１において、ＬＡＮ上のホスト１９からＤＮＳゲートウェイ１７へＤＮＳ正引き要求が送信される。
【００３７】
（ロ）次に、ステップＳ２２において、ＤＮＳゲートウェイ１７は、正引き要求に含まれるドメイン名をそのドメイン名から一意に決定されるＭＳＮに変換する。
【００３８】
（ハ）次に、ステップＳ２３において、ＤＮＳゲートウェイ１７は、変換テーブル保持部２３に保存された変換テーブルを参照し、ＭＳＮを検索する。
【００３９】
（ニ）ＭＳＮに対応づけられたＩＰアドレスが変換テーブル内に存在する場合、ステップＳ２４において、ＤＮＳゲートウェイ１７は、当該ＩＰアドレスをＤＮＳ正引き要求として要求元であるＬＡＮ１５上のホスト１９に送信する。
【００４０】
次に、図５において、ＭＳＮに対応づけられたＩＰアドレスが変換テーブル内に存在しない場合の動作について、図６を用いて説明する。
【００４１】
（イ）ステップＳ３１〜Ｓ３３は、図５のステップＳ２１〜Ｓ２３と同様であるので、ここでは説明を省略する。
【００４２】
（ロ）ＭＳＮに対応づけられたＩＰアドレスが変換テーブル内に存在しない場合、ステップＳ３４において、ＤＮＳゲートウェイ１７は、移動パケット通信用ゲートウェイ１３に対し、当該ＭＳＮを持つＭＳ６を接続するよう要求する。
【００４３】
（ハ）次に、ステップＳ３５において、移動パケット通信用ゲートウェイ１３は、ＭＳ６に接続し、プールＩＰアドレスから１つのＩＰアドレスをＭＳ６に割り当てる。
【００４４】
（ニ）ＭＳ６が接続されると、ステップＳ３６において、移動パケット通信用ゲートウェイ１３は、ＭＳ６に割り当てたＩＰアドレスをＤＮＳゲートウェイ１７に通知する。
【００４５】
（ホ）次に、ステップＳ３７において、ＤＮＳゲートウェイ１７は、通知されたＩＰアドレスとＭＳＮとの対応関係を変換テーブルに登録する。
【００４６】
（へ）次に、ステップＳ３８において、ＤＮＳゲートウェイ１７は、当該ＩＰアドレスをＤＮＳ正引き要求として要求元であるＬＡＮ１５上のホスト１９に送信する。
【００４７】
次に、インターネット上のサーバ装置から逆引き要求を受信した際の動作について、図７を用いて説明する。
【００４８】
（イ）まず、ステップＳ４１において、ＬＡＮ上のホスト１９からＤＮＳゲートウェイ１７へＤＮＳ逆引き要求が送信される。
【００４９】
（ロ）次に、ステップＳ４２において、ＤＮＳゲートウェイ１７は、変換テーブル保持部２３に保存された変換テーブルを参照し、逆引き要求に含まれるＩＰアドレスを検索する。
【００５０】
（ハ）ＩＰアドレスに関連づけられたＭＳＮが変換テーブル内に存在する場合、ステップＳ４３において、ＤＮＳゲートウェイ１７は、当該ＭＳＮをドメイン名に変換する。
【００５１】
（ニ）そして、ステップＳ４４において、ＤＮＳゲートウェイ１７は、ドメイン名をＤＮＳ逆引き要求として要求元であるＬＡＮ１５上のホスト１９に送信する。
【００５２】
（作用及び効果）
本実施形態に係るＤＮＳゲートウェイ１７及び通信方法によると、ＬＡＮ１５上のホスト１９がＭＳ６へアクセスする際、ＤＮＳ正引き要求を受信することにより、ＭＳ６のドメイン名からＩＰアドレスを求めることができる。又、ＭＳ６との通信リンクが確立されていない場合でも、移動パケット通信用ゲートウェイ１３は、ＭＳ６に対して通信確立要求を行い、動的にＩＰアドレスを割り当てることができる。このため、ＬＡＮ１５上のホスト１９は、ＭＳ６との通信リンクが確立されているか否かに関わらず、ドメイン名でＭＳ６にアクセスし、ＩＰレベルでの通信を行うことができる。
【００５３】
又、本実施形態に係るＤＮＳゲートウェイ１７及び通信方法によると、ＬＡＮ１５上のホスト１９がＩＰレベルでＭＳ６と通信を行っている際、ＤＮＳ逆引き要求を受信することにより、ＩＰアドレスからドメイン名を求めることができる。このため、ＭＳ６からＬＡＮ１５上のホスト１９に対して通信が行われた場合においても、ホスト１９は、当該ＩＰアドレスを割り当てられているＭＳＮを特定することができる。
【００５４】
又、本実施形態に係るＤＮＳゲートウェイ１７及び通信方法によると、移動通信網１１への通信確立要求を行ったＭＳ６のＭＳＮと、当該確立要求の際にＭＳ６へ割り当てられたＩＰアドレスとを対応付けて変換テーブルへ登録することができる。このため、通信ネットワーク上において、ＭＳＮと動的に割り当てられたＩＰアドレスとの対応関係を保持することができる。
【００５５】
又、本実施形態に係るＤＮＳゲートウェイ１７及び通信方法によると、ＭＳ６に対して接続を行う際、ＦＯＭＡ（登録商標）の呼制御として用いられるＮＷＭＰ（Network Management Protocol）のような専用プロトコルではなく、インターネットで広く用いられている汎用プロトコルによる接続が可能となる。多くのプログラムは、ＤＮＳ応答として受け取ったＩＰアドレスに対してそのまま通信を行うので、ユーザはＭＳ６の接続状態を意識せず、ＭＳ６との通信を開始することができる。
【００５６】
更に、本実施形態に係るＤＮＳゲートウェイ１７及び通信方法によると、ＩＰアドレスを持たない（ＩＰ電話ではない）一般加入電話にもＭＳＮを用いてＩＰ通信可能な通信リンクを確立することができ、ＩＰレベルの通信を行うことができる。このとき、移動パケット通信ゲートウェイが、ＩＰパケットをアナログ信号へ変換する機能を有することにより、パケット通信に対応していない電話との通信も可能となる。
【００５７】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００５８】
例えば、本実施形態において、端末固有番号としてＭＳＮを用いたが、ＭＳＮに限らず、ＭＳ６の機体番号などＭＳ６固有の番号を用いても構わない。
【００５９】
又、本実施形態において、端末装置として、移動機（ＭＳ）を用いて説明を行ったが、公衆電話網に接続された固定電話を用いても構わない。同様に、通信ネットワークとして移動通信網及びＬＡＮを用いて説明を行ったが、公衆電話網などを用いても構わない。
【００６０】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００６１】
【図１】本発明の実施の形態に係る通信システムの構成ブロック図である。
【図２】本発明の実施の形態に係るＤＮＳゲートウェイの構成ブロック図である。
【図３】本発明の実施の形態に係る変換テーブルの一例である。
【図４】本発明の実施の形態に係る変換テーブルの登録方法を示すシーケンス図である。
【図５】本発明の実施の形態に係るＤＮＳ正引き要求時のシーケンス図である（その１）。
【図６】本発明の実施の形態に係るＤＮＳ正引き要求時のシーケンス図である（その２）。
【図７】本発明の実施の形態に係るＤＮＳ逆引き要求時のシーケンス図である。
【符号の説明】
【００６２】
５、５ａ、５ｂ  ＤＴＥ
６、６ａ、６ｂ  ＭＳ
１１ａ、１１ｂ  移動通信網
１２ａ、１２ｂ  ＢＴＳ
１３、１３ａ、１３ｂ  移動パケット通信ゲートウェイ
１５  ＬＡＮ
１６  ＬＡＮ側ルータ
１７  ＤＮＳゲートウェイ
１８  専用線
１９  ホスト
２１  通信網インターフェイス
２２  ＬＡＮインターフェイス
２３  変換テーブル保持部
２４  変換テーブル制御部
２５  ＤＮＳサーバ機能制御部
【図１】
2005167728.tif 000003
【図２】
2005167728.tif 000004
【図３】
2005167728.tif 000005
【図４】
2005167728.tif 000006
【図５】
2005167728.tif 000007
【図６】
2005167728.tif 000008
【図７】
2005167728.tif 000009